(57)【要約】【課題】  駆動モータからの振動伝達を低減して画質の向上を図ると共に、静音効果を高めることができるローラ軸受支持装置を提供する。【解決手段】  １つの回転軸３ａを有するローラ３を３個の軸受部により支持するローラ軸受支持装置１であって、ローラ３の回転軸３ａの一端側を支持する第１軸受部５及び回転軸３ａの他端側寄りの中間部を支持する第２軸受部６を有する本体部４と、回転軸３ａの他端側を支持する第３軸受部９及び回転軸３ａを回転駆動する駆動モータ１０を取付けるモータ取付部１１を有し、本体部４と別体で構成される支持部材７とを備え、支持部材７が、本体部４に対しローラ３の径方向に移動可能であって、ローラ３の軸方向に本体部４から離脱しないように保持されている。【選択図】        図２
2005255387.tif 000002
【特許請求の範囲】
【請求項１】
１つの回転軸を有するローラを３個の軸受部により支持するローラ軸受支持装置であって、
前記ローラの回転軸の一端側を支持する第１軸受部及び前記回転軸の他端側寄りの中間部を支持する第２軸受部を有する本体部と、前記回転軸の他端側を支持する第３軸受部及び前記回転軸を回転駆動する駆動モータを取付けるモータ取付部を有し、前記本体部と別体で構成される支持部材とを備え、
前記支持部材が、前記本体部に対し前記ローラの径方向に移動可能であって、前記ローラの軸方向に前記本体部から離脱しないように保持されているローラ軸受支持装置。
【請求項２】
前記支持部材が、前記本体部と接する面に弾性部材を設けてある請求項１に記載のローラ軸受支持装置。
【発明の詳細な説明】
【技術分野】
【０００１】
本発明は、１つの回転軸を有するローラを３個の軸受部により支持するローラ軸受支持装置に関する。
【背景技術】
【０００２】
複写機や現像装置等には、駆動系の構造簡略化や、ジッタを低減して画質を向上させる為に、ローラの何本かを別の駆動系によって駆動するものがある。
この種の技術には、ローラ軸の駆動を正確なタイミングで行うために、例えば、ローラ軸に直接駆動モータを接続して駆動系を構成したものがある（特許文献１参照）。
【０００３】
【特許文献１】特開平０６−１５６７９６号公報
【発明の開示】
【発明が解決しようとする課題】
【０００４】
しかし、特許文献１の構成は、駆動モータをローラ軸に直接接続するため、駆動モータの振動がローラや本体部に伝達されるという問題がある。特に、複写機等の転写部の直前に設置されるレジストローラの場合、駆動モータを直接接続すると、駆動モータの振動が伝達されて画質の低下を招くこととなる。
また、ローラ軸を３点で固定的に支持することから、取付け精度が充分に得られなければ、ローラ軸が抉れてトルクムラを生じさせる虞があるという問題があった。そして、ローラ軸が抉れるのを回避するためには、軸受を高精度に設置する必要があり、装置の組立てに相当の手間を要するという問題があった。
【０００５】
本発明は上記の問題に鑑みてなされたものであり、その目的は、駆動モータからの振動伝達を低減して画質の向上を図ると共に、静音効果を高めることができるローラ軸受支持装置を提供する点にある。
【課題を解決するための手段】
【０００６】
〔特徴構成１〕
この目的を達成するための本発明に係る、１つの回転軸を有するローラを３個の軸受部により支持するローラ軸受支持装置の第一特徴構成は、前記ローラの回転軸の一端側を支持する第１軸受部及び前記回転軸の他端側寄りの中間部を支持する第２軸受部を有する本体部と、前記回転軸の他端側を支持する第３軸受部及び前記回転軸を回転駆動する駆動モータを取付けるモータ取付部を有し、前記本体部と別体で構成される支持部材とを備え、前記支持部材が、前記本体部に対し前記ローラの径方向に移動可能であって、前記ローラの軸方向に前記本体部から離脱しないように保持されている点にある。
【０００７】
ここでの軸方向は、ローラの軸に沿った方向である。
即ち、本第一特徴構成によれば、支持部材が本体部と別体で構成されるので、駆動モータからの振動が本体部及びローラに直接伝達されるのを防止することができ、画質の低下を防止できる。更に、駆動モータの取付け精度に余裕を持たせることができ、組立てが容易になる。
そして、第３軸受部とモータ取付部とを支持部材に設けるので、第３軸受部とモータ取付部との位置関係は支持部材の形状のみによって設定される。この結果、第３軸受部とモータ取付部とのギヤピッチを確実に確保することができ、本発明に係るローラ軸受支持装置の組立てが容易になる。
また、支持部材を径方向に移動可能に構成することで、第３軸受部が第１軸受部及び第２軸受部に対して移動可能となり、ローラに変形をきたすような応力が発生するのを防止することができる。これによって、ローラのトルクムラを無くして、画質の低下を防止することができる。
【０００８】
〔特徴構成２〕
同第二特徴構成は、前記支持部材が、前記本体部と接する面に弾性部材を設けてある点にある。
即ち、本第二特徴構成によれば、弾性部材を設けるので、駆動モータからローラへの振動の伝達をより効果的に抑えることができ、静音効果を高めることができる。
【発明を実施するための最良の形態】
【０００９】
以下、本発明に係るローラ軸受支持装置（以下、適宜「本発明装置」と略称する）の実施形態を図面に基づいて説明する。
図１は、本発明に係るローラ軸受支持装置１を適用した複写機２を示している。複写機２は、画質の向上のため、レジストローラ３を独立した駆動系で駆動するように、駆動モータ１０が設置されている。そして、レジストローラ３を、本体部４の側面の２点を含む３点で支持するように構成してある。本発明装置１は、このレジストローラ３に適用される。
【００１０】
本発明装置の第一実施形態について図２乃至図４を基に説明する。ここで、図２は、本発明装置１を取付けた状態における本体部４の構成を示している。図３は、本発明装置１の支持部材７、本体側取付部材８、第３軸受部９、及び、駆動モータ１０夫々の構成を示しており、図４は、これらの部材を組立てた状態を示している。
【００１１】
本体部４は、図２に示すように、レジストローラ３の回転軸３ａの一端側を支持する第１軸受部５及び回転軸３ａの他端側寄りの中間部を支持する第２軸受部６を備えている。第１軸受部５及び第２軸受部６は、本体部４の側面に形成された孔に軸受部材を嵌込んで構成される。第１軸受部５は、本体部４の側面に設置され、第２軸受部６は、第１軸受部５が設けられた本体部４の側面に対向する側面に設置されており、レジストローラ３を略水平に保持するように配設されている。第２軸受部６が設置された本体部４の外方側面には、支持部材７を係合可能に構成された本体側取付部材８を、ビス等で固定してある。
【００１２】
支持部材７は、板状部材で構成され、回転軸３ａの他端側を支持する第３軸受部９と、回転軸３ａを回転駆動する駆動モータ１０を取付けるモータ取付部１１とを有し、本体部４及び本体側取付部材８と別体で構成されている。ここでの第３軸受部９は、支持部材７に形成された軸受用孔７ａに、軸受９ａを挿入して構成される。モータ取付部１１は、駆動モータ１０を支持部材７に固定するビスを挿通するビス固定部１１ａと、駆動モータ１０のモータ軸１０ｂを挿通するモータ軸孔１１ｂとで構成されている。
【００１３】
駆動モータ１０は、ステッピングモータであり、モータギヤ１２及びローラギヤ１３を介して回転軸３ａを回転駆動するように構成されている。駆動モータ１０のモータ軸１０ｂには、モータギヤ１２が設けられ、レジストローラ３の回転軸３ａに設置されているローラギヤ１３に噛合わせるように構成されている。尚、第３軸受部９及び駆動モータ１０が、何れも支持部材７に設置されるので、ギヤピッチを確保して、モータギヤ１２及びローラギヤ１３を良好に噛合わせることができる。また、駆動モータ１０には、支持部材７に固定するためのビスを挿通するビス固定部１０ａが２ヶ所に構成されている。
【００１４】
本体側取付部材８は、モータギヤ１２及びローラギヤ１３の設置空間を囲むように形成されている。更に、その外方側面が平面状に形成されて、支持部材７が、本体部４に対しレジストローラ３の径方向に移動可能であって、レジストローラ３の軸方向に本体部４から離脱しないように保持されている。
【００１５】
本体側取付部材８の外方側面には、上側２ヶ所、下側１ヶ所の３箇所に支持部材７を保持する爪１４ａ、１４ｂ、１４ｃが形成されている。爪１４は、本体側取付部材８の側面を、断面が略Ｌ字状となるように外側に向けて切り起こして形成されている。また、爪１４は、支持部材７が本体側取付部材８の側面に対して、回転軸３ａの軸方向に離脱しないように保持する。但し、爪１４と本体側取付部材８の側面との間隔は、支持部材７が本体部４に対しレジストローラ３の径方向に移動可能になるように、支持部材７の動きを阻害しない程度の幅に設定する。上下の爪１４の設置間隔については、支持部材７が、本体部４に対しレジストローラ３の径方向に移動可能となるように、爪１４の本体側取付部材８に接続する基部の間隔を支持部材７の上下幅より広く設定する。更に、爪１４の基部に対して折り曲げられて形成された先端部の間隔は、支持部材７が、レジストローラ３の軸方向に離脱しないよう保持可能となるように、支持部材７の上下幅より狭く設定する。
【００１６】
更に、本体側取付部材８には、支持部材７のモータ軸孔１１ｂ及び第３軸受部９に対応する位置に、モータ軸１０ｂ及び回転軸３ａを挿通する孔８ａが設けられている。尚、孔８ａは、支持部材７の移動を阻害しないように、軸受用孔７ａ及びモータ軸孔１１ｂよりも充分に大きく形成すると好適である。本実施形態では、支持部材７を本体部４に対し回転軸３ａの径方向に移動可能に構成するので、第３軸受部９が本体部４に対し移動可能になるため、レジストローラ３を変形させるような応力が発生する虞がなくなる。従って、第３軸受部９を穴あけ加工の位置精度によらず設置することができるので、第３軸受部９の第１軸受部５及び第２軸受部６に対する位置決めが容易になる。
【００１７】
尚、本実施形態では、爪１４を本体側取付部材８に３箇所設けたが、支持部材７の大きさや駆動モータ１０の大きさ等に応じて、支持部材７を良好に支持可能な数を適切に配設する。また、駆動モータ１０の固定に使用するビスの数は、駆動モータ１０を良好に固定可能な数を設定する。
【００１８】
次に、本発明装置の第二実施形態について説明する。
本実施形態の支持部材７は、本体側取付部材８と接する面に弾性部材１５を設けてある。この弾性部材１５は、静音性能や衝撃吸収性能に優れていることから、ポロン（高密度ポリウレタン）等の低反発性材料を用いている。弾性部材１５は、支持部材７の輪郭形状に合わせて形成し、両面テープや接着剤等によって支持部材７の本体側取付部材８と接する面に貼付する。弾性部材１５を設けることで、その衝撃吸収性により駆動モータ１０の振動が本体側取付部材８により伝達され難くなり、更に、静音性を高めることができる。
【図面の簡単な説明】
【００１９】
【図１】本発明に係るローラ軸受支持装置を適用した複写装置の内部構造の斜視図
【図２】本発明に係るローラ軸受支持装置の断面図
【図３】本発明に係るローラ軸受支持装置の分解斜視図
【図４】本発明に係るローラ軸受支持装置の斜視図
【符号の説明】
【００２０】
１    ローラ軸受支持装置
２    複写機
３    レジストローラ
４    本体部
５    第１軸受部
６    第２軸受部
７    支持部材
８    本体側取付部材
９    第３軸受部
１０  駆動モータ
１１  モータ取付部
１２  モータギヤ
１３  ローラギヤ
１４  爪
１５  弾性部材
【図１】
2005255387.tif 000003
【図２】
2005255387.tif 000004
【図３】
2005255387.tif 000005
【図４】
2005255387.tif 000006